(57)【要約】  【課題】  模様を液圧転写したスイッチパネルの見栄えを良好にする。  【解決手段】  水溶性のフィルム基体に非水溶性インクにより模様１３を印刷してなる転写フィルムを水面に浮かべる。フィルム基材が水に完全に溶解した後に、水面に浮かんでいる模様１３へパネル基体１の表面１ａを押し当てる。この状態でパネル基体１を水中に完全に没入させて、水圧により模様１３をパネル基体１の表面１ａに密着させて転写し、スイッチパネルＰを得る。各模様１３の外形寸法を６ｍｍ以下かつ２ｍｍ以上に設定する。【選択図】      図１
2005111862.tif 000002
【特許請求の範囲】
【請求項１】
液体に溶解するフィルム基体に模様が印刷されてなる転写フィルムを液面に浮かべ、上記フィルム基体が溶解した状態で上記模様に装飾用基体を押し当てて液中に没入させることにより、上記模様が上記装飾用基体に転写された装飾体であって、
上記模様の外形寸法が６ｍｍ以下かつ２ｍｍ以上に設定されていることを特徴とする液圧転写模様を有する装飾体。
【請求項２】
請求項１に記載の装飾体において、
模様が複数個互いに近接して転写されていることを特徴とする液圧転写模様を有する装飾体。
【発明の詳細な説明】
【技術分野】
【０００１】
本発明は、液圧転写された模様を有する装飾体に関する。
【背景技術】
【０００２】
従来より、液圧転写により模様を転写した装飾体が知られており、例えば、特許文献１には、水溶性のフィルム基体に模様が印刷されてなる転写フィルムを水面に浮かべて、上記フィルム基体を水に溶解させて残った模様に、装飾用基体を押し当ててそのまま水中に没入させ、水圧により模様を装飾用基体に密着させて転写したものが開示されている。
【特許文献１】特開２００２−１７２８９４号公報（第２頁、第３頁、図２〜図４）
【発明の開示】
【発明が解決しようとする課題】
【０００３】
ところで、上記特許文献１のように模様を装飾用基体に液圧転写する際には、装飾用基体を模様に押し当てる前に模様だけが水面に浮かんでいる不安定な状態となっている。このような状態において、水面が揺れると模様も揺れて変形し、元の形を保持できなくなる。また、装飾用基体を模様に押し当てた際には周りの水が流れて模様が変形する。これらの場合には、変形した模様が装飾用基体に転写されて装飾体の見栄えが悪くなる。
【０００４】
本発明は斯かる点に鑑みてなされたものであり、その目的とするところは、模様の大きさを特定することにより、模様が変形して装飾用基体に転写された場合にその変形していることを肉眼では判り難くして装飾体の見栄えを良好にし、しかも、転写された模様の識別を容易に行えるようにすることにある。
【課題を解決するための手段】
【０００５】
上記目的を達成するために、請求項１の発明では、液体に溶解するフィルム基体に模様が印刷されてなる転写フィルムを液面に浮かべ、上記フィルム基体が溶解した状態で上記模様に装飾用基体を押し当てて液中に没入させることにより、上記模様が上記装飾用基体に転写された装飾体を対象とし、上記模様の外形寸法を６ｍｍ以下かつ２ｍｍ以上に設定する構成とする。
【０００６】
請求項２の発明では、請求項１の発明において、模様を複数個互いに近接させて転写する構成とする。
【発明の効果】
【０００７】
請求項１の発明によれば、装飾用基体に転写された模様の外形寸法が６ｍｍ以下に設定されているので、模様が液面の揺れや液面近傍の液体の流れにより変形した状態で装飾用基体に転写された場合に、その変形していることが肉眼では判りに難くなり、装飾体の見栄えを良好にすることができる。また、上記模様の外形寸法が２ｍｍ以上に設定されているので、模様を肉眼で容易に識別することができる。
【０００８】
請求項２の発明によれば、装飾用基体に複数の模様を近接させて転写することで意匠性が向上し、このように複数の模様を転写した場合に、個々の模様の変形が肉眼で判り難いので、模様全体の見栄えを良好にすることができ、請求項１の発明の作用効果が顕著になる。
【発明を実施するための最良の形態】
【０００９】
以下、本発明の実施形態を図面に基づいて詳細に説明する。
【００１０】
図１は、本発明の実施形態に係る装飾体としての自動車用のスイッチパネルＰを示し、該スイッチパネルＰはドアトリム（図示せず）に取り付けられるものである。このスイッチパネルＰは、樹脂材を成形してなる装飾用基体としてのパネル基体１を備え、該パネル基体１はパワーウインドの昇降スイッチ配設用の矩形開口部３が開口した平板部５を有している。この平板部５は略水平に延びており、その外周縁には裏側へ延びる外側周壁部７が一体に形成されている。また、開口部３の周縁にも裏側へ延びる内側周壁部９が一体に形成されている。
【００１１】
上記平板部５の表面１ａには、多数の同じ模様１３が互いに近接した状態で略等間隔に液圧転写されており、この模様１３と上記パネル基体１とからスイッチパネルＰが構成されている。この模様１３は、図２に示すように、Ｎの文字をなすＮ形状部１３ａと、このＮ形状部１３ａを囲み模様１３の外形をなす円形状部１３ｂとを結合させてなるものである。この模様１３の外形寸法は６ｍｍ以下かつ２ｍｍ以上に設定されている。
【００１２】
次に、図３に基づいて上記模様１３をパネル基体１に液圧転写する要領について説明する。
【００１３】
まず、水溶性のフィルム基体１５上に、非水溶性のインクを用いて外形寸法が６ｍｍ以下かつ２ｍｍ以上の模様１３を多数印刷してなる転写フィルム１６を製造する。そして、図３（ａ）に示すように、上記転写フィルム１６を模様１３が印刷された面を上に向けて水面Ｗに浮かべる。この転写フィルム１６を水面Ｗに浮かべた状態で模様１３の上面である接着面に、図示しない噴霧装置等を用いて接着剤を吹き付ける。しばらくすると、図３（ｂ）に示すように、フィルム基体１５は水に完全に溶解して模様１３のみが水面Ｗに浮かんでいる状態となる。
【００１４】
次いで、この図３（ｂ）に示すように、パネル基体１をその表面１ａが下に向いた状態で模様１３の上方に配置し、この状態からパネル基体１を矢印イで示すように下方へゆっくりと移動させ、該パネル基体１の表面１ａを模様１３の上面に押し当てる。そして、図３（ｃ）に示すように、パネル基体１をさらに下方へ移動させて模様１３と一緒に水中に完全に没入させる。このパネル基体１を水中に没入させることにより、模様１３が水圧によりパネル基体１の表面１ａに押し付けられて密着して転写される。その後、模様１３が転写されたパネル基体１を水中から引き上げて洗浄して乾燥させることにより、装飾が施されたスイッチパネルＰが得られる。
【００１５】
上記模様１３を転写する際、模様１３が浮かんでいる水面Ｗが揺れると模様１３が変形することがあり、また、パネル基体１の表面１ａを模様１３に押し当てた際には周りの水が流れて模様１３が変形する。これら場合には、変形した模様１３がパネル基体１に転写されることになる。このことに対し、本実施形態では、模様１３の外形寸法を６ｍｍ以下としているので、転写された模様１３が変形しているか否かは肉眼では殆ど判らず、スイッチパネルＰの見栄えを良好にすることができる。
【００１６】
また、模様１３の外形寸法を２ｍｍ以上としているので、パネル基体１に転写された模様１３を肉眼で容易に識別することができる。
【００１７】
尚、模様１３は、例えばロゴタイプ、各種マーク、絵柄等であってもよく、これらの場合は、模様の外形寸法の最も長い箇所が６ｍｍ以下で、かつ２ｍｍ以上となるようにすればよい。また、パネル基体１に転写する模様１３は近接させるのではなく、広い間隔をあけても配置してもよいし、また、模様の数を１つにしてもよい。
【００１８】
また、この実施形態では、模様１３を別々に構成しているが、これに限らず、複数の模様を例えば細い線状部を介して連続させてもよく、この場合は、模様の主体部の外形寸法を上記範囲に設定すればよい。
【００１９】
また、この実施形態では、液圧転写の際に用いる液体が水である場合について説明しているが、水以外の液体を用いることも可能である。この場合の液体は、フィルム基体を溶解するとともに、該フィルム基体上に印刷された模様が溶解しない液体を選定することが必要である。
【００２０】
さらに、この実施形態では、本発明を自動車のスイッチパネルＰに適用した場合について説明したが、本発明は、例えば自動車のインストルメントパネルに設けられるセンターパネルやリッド部材、また、自動車部品以外にも模様を液圧転写するようにした装飾体に適用することができる。
【産業上の利用可能性】
【００２１】
以上説明したように、本発明に係る液圧転写模様を有する装飾体は、例えば、自動車のスイッチパネル等として有用である。
【図面の簡単な説明】
【００２２】
【図１】本発明の実施形態に係るスイッチパネルの斜視図である。
【図２】模様の拡大図である。
【図３】（a）は、転写フィルムを水面に浮かべた状態を示す断面図であり、（ｂ）は、フィルム基体が完全に溶解してパネル基体を模様の上方に配置した状態を示す断面図であり、（ｃ）は、パネル基体を水中に没入させて該パネル基体に模様を密着させた状態を示す断面図である。
【符号の説明】
【００２３】
１        パネル基体（装飾用基体）
１３      模様
１５      フィルム基体
１６      転写フィルム
Ｐ        スイッチパネル（装飾体）
Ｗ        水面（液面）
【図１】
2005111862.tif 000003
【図２】
2005111862.tif 000004
【図３】
2005111862.tif 000005